(57)【特許請求の範囲】
【請求項１】
電池が石墨を介してロードと電気的に連接し、
その外部は、正極ヘッドと、負極ヘッドと、を含み、前記正極ヘッドと前記負極ヘッドの少なくとも表面にニッケルが含有され、前記正極ヘッドと前記負極ヘッドとが電力の出力端とされる電池と、
前記電池の前記正極ヘッドに連接され、前記ロードと電気的に連接する第１石墨接続ブロックと、
前記電池の前記負極ヘッドに連接され、前記ロードと電気的に連接する第２石墨接続ブロックと、を含み、
これにより、前記電池の電力は、前記第１石墨接続ブロックと前記第２石墨接続ブロックとを介して前記ロードに出力可能であることを特徴とする、二個の石墨により電池と外部との高導電率な接続を達成可能な構造。
【請求項２】
前記第１石墨接続ブロックと前記第２石墨接続ブロックとは、純石墨または合金石墨であることを特徴とする、請求項１に記載の二個の石墨により電池と外部との高導電率な接続を達成可能な構造。
【請求項３】
前記合金石墨は、銀炭素合金石墨、又は銅炭素合金石墨であることを特徴とする、請求項２に記載の二個の石墨により電池と外部との高導電率な接続を達成可能な構造。
【請求項４】
前記第１石墨接続ブロックと前記第２石墨接続ブロックとは、成形されているときに、その内部には、電力を出力するためのリードが設けられることを特徴とする、請求項１に記載の二個の石墨により電池と外部との高導電率な接続を達成可能な構造。
【発明の詳細な説明】
【技術分野】
【０００１】
本発明は、溶接を採用せず、酸化しない構造を採用する、二個の石墨により電池と外部との高導電率な接続を達成可能な構造に関するものである。
【背景技術】
【０００２】
図１に示すように、電池１０がロード１１と電気的に連接し、電池１０の外部にある、正極ヘッド１２と、負極ヘッド１３と、が金属端子１４を介してロード１１に電力を出力する。金属端子が電池の電極ヘッドと接触するため、金属端子と電池の電極ヘッドとの接触箇所で高いインピーダンスが発生され、これにより、電池の電力を出力しているときには、接触箇所でのインピーダンスが高いため、温度が上昇し電力が無駄に消費される問題があった。上記の問題を解決するために、図２に示すように、スポット溶接により電池１０にニッケル金属片１５を溶接して電池の電力を出力する方法がある。このような方法によれば、スポット溶接により電池１０の正極ヘッド１２と負極ヘッド１３とにニッケル金属片１５を溶接することにより、上記両者の接触箇所での電気抵抗を大幅に減少可能であり、且つニッケルの耐酸化性がより高い。
【０００３】
しかしながら、スポット溶接を採用する場合には、スポット溶接の過程中に、高温が電池の電極ヘッドを経由して電池の内部に侵入し、電池を破壊する虞があり、例えば電池のシールパッキンを破壊したり、正極材料と負極材料との隔離層を破裂したりする可能性があり、そうすると、電池の利用可能な寿命が短縮され、そしてスポット溶接の加工コストは高いという問題があった。
【発明の概要】
【発明が解決しようとする課題】
【０００４】
そこで、本発明の主な目的は、第１石墨接続ブロックを電池の正極ヘッドに直接に設け、第２石墨接続ブロックを電池の負極ヘッドに直接に設け、電池が第１石墨接続ブロックと第２石墨接続ブロックとを介してロード回路と電気的に連接することにより、電池と外部との高導電率な接続を達成することができ、高価なスポット溶接加工を採用する必要がなく、石墨の材料コストが低いため、生産コストを大幅に減少することができる、二個の石墨により電池と外部との高導電率な接続を達成可能な構造を提供することにある。
【０００５】
また、本発明の次の目的は、第１石墨接続ブロックを電池の正極ヘッドに直接に設け、第２石墨接続ブロックを電池の負極ヘッドに直接に設け、電池が第１石墨接続ブロックと第２石墨接続ブロックとを介してロード回路と電気的に連接することにより、第１石墨接続ブロック及び第２石墨接続ブロックがニッケルを含む正極ヘッド及び負極ヘッドと接触しているときに、互いに溶ける現象が発生し、すなわち、第１石墨接続ブロック及び第２石墨接続ブロックの炭素微粒がニッケルを含む正極ヘッドと負極ヘッドとの表面にある不純物を取り代わり、これにより、第１石墨接続ブロック及び第２石墨接続ブロックの炭素微粒が正極ヘッドと負極ヘッドとの表面の凹みに位置するようになり、炭素とニッケルとが合金状態になり、接触電気抵抗を減少することができる、二個の石墨により電池と外部との高導電率な接続を達成可能な構造を提供することにある。
【課題を解決するための手段】
【０００６】
本発明の二個の石墨により電池と外部との高導電率な接続を達成可能な構造によると、電池が石墨を介してロードと電気的に連接し、その外部は、正極ヘッドと、負極ヘッドと、を含み、前記正極ヘッドと前記負極ヘッドの少なくとも表面にニッケルが含有され、前記正極ヘッドと前記負極ヘッドとが電力の出力端とされる電池と、前記電池の前記正極ヘッドに連接され、前記ロードと電気的に連接する第１石墨接続ブロックと、前記電池の前記負極ヘッドに連接され、前記ロードと電気的に連接する第２石墨接続ブロックと、を含み、これにより、前記電池の電力は、前記第１石墨接続ブロックと前記第２石墨接続ブロックとを介して前記ロードに出力可能であることを特徴とする。
【０００７】
本発明の二個の石墨により電池と外部との高導電率な接続を達成可能な構造によると、前記第１石墨接続ブロックと前記第２石墨接続ブロックとは、純石墨または合金石墨であることを特徴とする。
【０００８】
本発明の二個の石墨により電池と外部との高導電率な接続を達成可能な構造によると、前記合金石墨は、銀炭素合金石墨、又は銅炭素合金石墨であることを特徴とする。
【０００９】
本発明の二個の石墨により電池と外部との高導電率な接続を達成可能な構造によると、前記第１石墨接続ブロックと前記第２石墨接続ブロックとは、成形されているときに、その内部には、電力を出力するためのリードが設けられることを特徴とする。
【発明の効果】
【００１０】
本発明の二個の石墨により電池と外部との高導電率な接続を達成可能な構造によれば、次のような効果がある。
（１）第１石墨接続ブロックを電池の正極ヘッドに直接に設け、第２石墨接続ブロックを電池の負極ヘッドに直接に設け、電池が第１石墨接続ブロックと第２石墨接続ブロックとを介してロード回路と電気的に連接することにより、電池と外部との高導電率な接続を達成することができ、高価なスポット溶接加工を採用する必要がなく、石墨の材料コストが低いため、生産コストを大幅に減少することができる。
【００１１】
（２）第１石墨接続ブロックを電池の正極ヘッドに直接に設け、第２石墨接続ブロックを電池の負極ヘッドに直接に設け、電池が第１石墨接続ブロックと第２石墨接続ブロックとを介してロード回路と電気的に連接することにより、第１石墨接続ブロック及び第２石墨接続ブロックがニッケルを含む正極ヘッド及び負極ヘッドと接触しているときに、互いに溶ける現象が発生し、すなわち、第１石墨接続ブロック及び第２石墨接続ブロックの炭素微粒がニッケルを含む正極ヘッドと負極ヘッドとの表面にある不純物を取り代わり、これにより、第１石墨接続ブロック及び第２石墨接続ブロックの炭素微粒が正極ヘッドと負極ヘッドとの表面の凹みに位置するようになり、炭素とニッケルとが合金状態になり、接触電気抵抗を減少することができる。
【図面の簡単な説明】
【００１２】
【図１】従来の電池が金属端子を介してその電力を出力しロード回路と電気的に連接する状態を示す模式図である。
【図２】従来の電池がニッケル金属片を介してその電力を出力しロード回路と電気的に連接する状態を示す模式図である。
【図３】本発明の第１石墨接続ブロックと第２石墨接続ブロックとを介して電池の電力を出力しロード回路と電気的に連接する状態を示す模式図である。
【図４Ａ】電池の金属ヘッドの表面に不純物が付着している状態の模式図である。
【図４Ｂ】本発明の第１石墨接続ブロックと第２石墨接続ブロックとを金属ヘッドの表面に接触して、不純物が炭素微粒に取り代られた状態の模式図である。
【図５】本発明の第３石墨接続ブロックと第４石墨接続ブロックとを介してアルミ箔袋包装電池の電力を出力しロード回路と電気的に連接する状態を示す模式図である。
【発明を実施するための形態】
【００１３】
以下、本発明の実施の形態を図面に基づいて説明する。
本発明の二個の石墨により電池と外部との高導電率な接続を達成可能な構造は、図３に示すように、電池２０とロード３０とを電気的に連接するときに、第１石墨接続ブロック４０を電池２０の正極ヘッド２１に直接に設け、第２石墨接続ブロック５０を電池２０の負極ヘッド２２に直接に設け、電池２０が第１石墨接続ブロック４０と第２石墨接続ブロック５０とを介してロード３０と電気的に連接することにより、電池２０と外部との高導電率な接続を達成することができる。
【００１４】
電池２０は、円筒形状を呈し、その外部の両端には、ニッケルを含む、正極ヘッド２１と、負極ヘッド２２と、が設けられ、正極ヘッド２１と負極ヘッド２２とが電力の出力端とされる。
【００１５】
第１石墨接続ブロック４０は、純石墨、合金石墨または導電炭素である。第１石墨接続ブロック４０が合金石墨である場合には、合金石墨は、銀石墨（銀炭素合金石墨）でもいいし、銅石墨（銅炭素合金石墨）でもよい。第１石墨接続ブロック４０は電池２０の正極ヘッド２１と電気的に連接する。
【００１６】
第２石墨接続ブロック５０は、純石墨、合金石墨または導電炭素である。第２石墨接続ブロック５０は電池２０の負極ヘッド２２と電気的に連接する。電池２０は、第１石墨接続ブロック４０と第２石墨接続ブロック５０とを介してロード３０と電気的に連接する。
【００１７】
第１石墨接続ブロック４０と第２石墨接続ブロック５０とは、成形されているときに、その内部には、電力を出力するためのリード６０が設けられる。リード６０はロード３０と電気的に連接する。
【００１８】
次に、本発明の機能および効果を説明する。電池２０の外部にある正極ヘッド２１と負極ヘッド２２とはニッケルを含むヘッドであり、図４Ａに示すように、ニッケルを含む、正極ヘッド２１と、負極ヘッド２２とには、不純物７０または酸化物が付着され、不純物７０または酸化物により、電池２０がロード３０に放電しているときには、接触箇所でのインピーダンスが高いため、温度が上昇し電力が無駄に消費される。図４Ｂに示すように、本発明の構造によれば、電池と外部との高導電率な接続を達成することができる。第１石墨接続ブロック４０を電池２０の正極ヘッド２１に直接に設け、第２石墨接続ブロック５０を電池２０の負極ヘッド２２に直接に設け、第１石墨接続ブロック４０と第２石墨接続ブロック５０とは酸化され難く、且つ第１石墨接続ブロック４０及び第２石墨接続ブロック５０がニッケルを含む正極ヘッド２１及び負極ヘッド２２と接触しているときに、互いに溶ける現象が発生し、すなわち、第１石墨接続ブロック４０及び第２石墨接続ブロック５０の炭素微粒８０がニッケルを含む正極ヘッド２１と負極ヘッド２２との表面にある不純物７０または酸化物を取り代わり、これにより、第１石墨接続ブロック４０及び第２石墨接続ブロック５０の炭素微粒８０が正極ヘッド２１と負極ヘッド２２との表面の凹みに位置するようになり、炭素とニッケルとが合金状態になり、第１石墨接続ブロック４０及び第２石墨接続ブロック５０と電池２０との接触電気抵抗を減少することができる。すなわち、本発明の構造によれば、電池２０の放電は、ニッケルを含む、正極ヘッド２１と、負極ヘッド２２とに、付着された不純物７０または酸化物に影響されず、低いインピーダンスで電力をロードに出力することができる。
【００１９】
一方、電池の形態は、円筒形状を呈するものに限定されず、図５に示すアルミ箔袋包装電池９０も適用可能である。アルミ箔袋包装電池９０は、その外部に、ニッケルを含む、正極柄９１と、負極柄９２と、が延びる。本発明の技術により、アルミ箔袋包装電池９０をロード３０と電気的に連接するときには、第３石墨接続ブロック１００がアルミ箔袋包装電池９０のニッケルを含む正極柄９１と電気的に連接し、第４石墨接続ブロック２００がアルミ箔袋包装電池９０のニッケルを含む負極柄９２と電気的に連接する。特に、金属ケースに包装される電池とアルミ箔袋包装電池とは、外観が相違するが、電気的な接続効果が同じ、すなわち、本発明の技術は、電池の内部の構造に関係せず、電池の正極ヘッドと負極ヘッドとはニッケルを含む金属を採用すると、本発明の石墨接続ブロックを介してロードと電気的に連接することにより、電池と外部との高導電率な接続を達成することができる。
【産業上の利用可能性】
【００２０】
本発明は、電池に適用することができる。
【符号の説明】
【００２１】
１０：電池、１１：ロード、１２：正極ヘッド、１３：負極ヘッド、１４：金属端子、１５：ニッケル金属片、２０：電池、２１：正極ヘッド、２２：負極ヘッド、３０：ロード、４０：第１石墨接続ブロック、５０：第２石墨接続ブロック、６０：リード、７０：不純物、８０：炭素微粒、９０：アルミ箔袋包装電池、９１：正極柄、９２：負極柄、１００：第３石墨接続ブロック、２００：第４石墨接続ブロック。
【図１】
0005113224.tif 000002
【図２】
0005113224.tif 000003
【図３】
0005113224.tif 000004
【図４Ａ】
0005113224.tif 000005
【図４Ｂ】
0005113224.tif 000006
【図５】
0005113224.tif 000007